(57)【要約】【課題】個々に所有でき、居住空間を妨げることなく設置が可能で、また手軽に移動が可能で、洗濯物や布団の乾燥に適した温度で乾燥する。【解決手段】平板状部材の表面に設けた太陽熱輻射吸収用の集合パネル６と、この集合パネル６自体と前記表面との間に形成させた集気用空間８と、前記集合パネル６の全面にわたって分布させ、外界と前記集気用空間８とを連通する複数の空気取り入れ口７と、を備えた乾燥パネル本体２を構成し、前記集合パネル６の全面を外界に露出させた前記乾燥パネル本体２を、排気手段等を含む通気口を持ち、前記乾燥パネル本体を設置した平板状部材としての裏面ｌ５ａを有する設置部により乾燥室の一部を構成し、前記設置部を家屋のベランダ等における格子に設置可能にする。【選択図】図２
2005058597.tif 000002
【特許請求の範囲】
【請求項１】
平板状部材の表面に設けた太陽熱輻射吸収用の集合パネルと、
この集合パネル自体と前記表面との間に形成させた集気用空間と、
前記集合パネル全面にわたって分布させ、外界と前記集気用空間とを連通する複数の空気取り入れ口と、
を備えた乾燥パネル本体を構成し、
前記集合パネルの全面を外界に露出させた前記乾燥パネル本体を、排気手段等を含む通気口を持ち、前記平板状部材により一部が構成された乾燥室に設置したことを特徴とする乾燥装置。
【請求項２】
前記乾燥パネル本体は、家屋のベランダ等における格子に設置可能としたことを特徴とする請求項１記載の乾燥装置。
【請求項３】
前記乾燥パネル本体は、蝶番等を用いて前記格子に設置し、不使用時にはベランダ内へ折り畳み可能にしたことを特徴とする請求項２記載の乾燥装置。
【請求項４】
前記排気手段は、ファンを備え、このファンの前方に抗菌フィルターを設置したことを特徴とする請求項１記載の乾燥装置。
【発明の詳細な説明】
【技術分野】
【０００１】
本発明は、一般家庭や業務としても用いることができる衣服などの洗濯物および布団等の乾燥装置に係り、特に太陽エネルギを有効に利用した乾燥装置に関する。
【背景技術】
【０００２】
従来、太陽熱輻射吸収用の集合パネルが、その表面を外界に露出させてビルの外壁表面との間に集気用空間を形成してビルの南側に設けられるとともに、前記集合パネルの全面にわたって複数の空気取入孔を設けて前記集合パネル内に外気を取り込み、この取り込んだ外気を集合パネルにより加熱して集気用空間に流出させ、この集気用空間に連通させた送気手段により前記加熱外気をビル内に導入する装置がある。
【特許文献１】特許第２８４６９１３号公報（第４，５頁、第１図）
【発明の開示】
【発明が解決しようとする課題】
【０００３】
しかしながら、前記装置はビルの側面に固定する構造となって設置場所が限定されおり、個人が手軽に所有するには相当な困難がある。また、ビル全体を加熱するもので、その加熱条件から洗濯物や布団などの乾燥には適していない。
【０００４】
本発明は、前記従来技術の問題点に鑑みてなされたもので、個々に所有でき、居住空間を狭めることなく設置が可能で、また手軽に移動が可能で、洗濯物や布団の乾燥に適した温度で乾燥することができる乾燥装置を提供することを目的とする。
【課題を解決するための手段】
【０００５】
本発明の請求項１は、平板状部材の表面に設けた太陽熱輻射吸収用の集合パネルと、この集合パネル自体と前記表面との間に形成させた集気用空間と、前記集合パネル全面にわたって分布させ、外界と前記集気用空間とを連通する複数の空気取り入れ口と、を備えた乾燥パネル本体を構成し、前記集合パネルの全面を外界に露出させた前記乾燥パネル本体を、排気手段等を含む通気口を持ち、前記平板状部材により一部を構成した乾燥室に設置したことを特徴としており、前記空気取り入れ口から取り入れた空気を集合パネルで加熱し、前記平板状部材から乾燥室を加熱するとともに、前記集合パネルで加熱した空気を前記集気用空間から乾燥室に排気し、乾燥室に収容した洗濯物を迅速かつ確実に乾燥する。
【０００６】
本発明の請求項２は、請求項１の乾燥装置において、前記乾燥パネル本体は、家屋のベランダ等における格子に設置可能にしたことを特徴としており、団地などの住居地にあっても居住空間を狭めることなく設置する場所を確実に確保することが可能になる。
【０００７】
本発明の請求項３は、請求項２の乾燥装置において、前記乾燥パネル本体は、蝶番を用いて前記格子に設置し、不使用時にはベランダ内へ折り畳み可能にしたことを特徴としており、使用していないときに折り畳むことで、格子に設置したパネル本体が台風時などの強風により倒されたり落下する恐れをなくすることが可能になる。
【０００８】
本発明の請求項４は、請求項１の乾燥装置において、前記排気手段は、ファンを備え、このファンの前方に抗菌フィルターを設置したことを特徴としており、加熱した空気を乾燥室に排気する際に、外気に浮遊していて加熱した空気中にも含まれる塵芥や花粉などを抗菌フィルターで捕捉し、乾燥室内の雰囲気を清浄に保つことが可能になる。
【発明の効果】
【０００９】
本発明に係る請求項１の乾燥装置によれば、乾燥パネル本体で加熱した空気により平板状部材を介して直接乾燥室を加熱できるとともに、加熱した空気を乾燥室内に排気し、洗濯物や布団などを迅速に乾燥することができる。また、外に干すことが困難な冬等の気温の低い季節であっても、乾燥室内の衣服等の洗濯物や布団を確実に乾燥させることができる。
【００１０】
本発明に係る請求項２の乾燥装置によれば、ベランダ等の格子に設置できるので、団地等であっても、個々に保持することができる。その他の効果は、請求項１と同様である。
【００１１】
本発明に係る請求項３の乾燥装置によれば、風が強い場合、乾燥パネル本体に風が当たって設置部が格子上で不安定になり、最悪の場合に落下するという危険性を解消することができる。
【００１２】
本発明に係る請求項４の乾燥装置によれば、加熱した空気を乾燥室に排気する際に、外気に浮遊していて加熱した空気中にも含まれる塵芥や花粉などを抗菌フィルターで捕捉して乾燥室内の雰囲気を清浄に保ち、乾燥する洗濯物等の汚染を防ぐことができる。
【発明を実施するための最良の形態】
【００１３】
乾燥装置の一部を乾燥パネル本体で構成し、個々に所有でき、居住空間を妨げることなく設置が可能で、また手軽に移動が可能で、洗濯物や布団の乾燥に適した温度で乾燥することを実現した。
【実施例１】
【００１４】
本発明の実施例１を図１〜３に基づいて説明する。図１は本実施例の乾燥装置を示す斜視図、図２は乾燥装置に備えた乾燥パネル本体を示す斜視図、図３は図２のＡ−Ａ線断面図である。
【００１５】
図１に示すように、本実施例の乾燥装置１は、図２の乾燥パネル本体２と、この乾燥パネル本体２を設置した乾燥室３とからなっている。
【００１６】
乾燥パネル本体２は、図２および図３に示すように、取付板５の表面に太陽熱輻射吸収用の集合パネル６が取り付けられている。集合パネル６は、波形補助パネル６ａ，６ｂ，６ｃからなっており、波形補助パネル６ａは取付板５に直接取り付けられるとともに、波形補助パネル６ｂ、６ｃは図示しない支持部材を介して取付板５に取り付けられており、各波形補助パネル６ａ，６ｂ，６ｃは取付板５と平行に配置されている。各波形補助パネル６ａ，６ｂ，６ｃは、波形補助パネル６ａの上部と波形補助パネル６ｂの下部および波形補助パネル６ｂの上部と波形補助パネル６ｃの下部をそれぞれオーバーラップさせるとともに、各波形補助パネル６ａ，６ｂ，６ｃの頂部が正面から見て直線となるように配置されている。また、各波形補助パネル６ａ，６ｂ，６ｃは、順次に取付板５との距離が大きくなって、波形補助パネル６ａ，６ｂおよび６ｂ，６ｃの間には間隔を有しており、前記各オーバーラップ部および波形補助パネル６ａの下端部に開口が形成されて集合パネル６の全面にわたって分布され、下記する集気用空間８への空気取り入れ口７となっている。なお、各波形補助パネル６ａ，６ｂ，６ｃの表面、すなわち集合パネル６の外面には黒い塗料のような太陽輻射熱吸収材料で被覆するのが望ましい。前記空気取り入れ口７には、波形補助パネル６ａの下端部における取付板５との空間および各オーバーラップ部の空間を閉じる調整板９が挿入され、空気取り入れ口７の開口量が調整可能になっている。
【００１７】
前記集気用空間８は、各波形補助パネル６ａ，６ｂ，６ｃと取付板５との間に形成され、集合パネル６（波形補助パネル６ｃ）の上端部に設けた貯蔵空間１０に順次連絡している。貯蔵空間１０には、内部に分離壁１１が設けられ、その位置を調節することにより、集気用空間８の様々の場所からほぼ等量の空気が貯蔵空間１０までの距離に応じて集められるようになっている。貯蔵空間１０と対応する取付板５の一部には、貯蔵空間１０内の空気を乾燥パネル本体２から外部に排出するための排出口１２が形成されている。なお、図２では、集合パネル６は、頂部が６つで３段の波形補助パネル６ａ，６ｂ，６ｃにより構成した例を挙げたが、これに限られず、頂部を５つ以下あるいは７つ以上の波形補助パネルで構成するとともに、段数を２段以下あるいは４段以上に構成し、使用する乾燥装置１の大きさに合わせて乾燥パネル本体２を構成することができる。
【００１８】
前記乾燥室３は、図１に示すように、前記乾燥パネル本体２を取り付ける設置部１５と洗濯物１６等の乾燥物を収容可能な乾燥部１７とからなっている。
【００１９】
前記設置部１５は、前部が開放された平板状部材としての底面１５ａを有する箱形状をしており、その底面１５ａに前記取付板５を介して乾燥パネル本体２が前記集合パネル６の全体を外界に露出させて取り付けられている。設置部１５の一側面には吸気口１８が設けられ、底面１５ａには前記排出口１２からの空気を乾燥部１７内に排出するためのファン１９を備えた排気口２０が設けられている。この設置部１５は、少なくとも下面が平板状に形成されており、ベランダ２１等の格子２２にネジ等の固定部材により強固に設置可能であり、また、設置場所の変更が可能なように取り外し可能になっている。
【００２０】
前記乾燥部１７は、組立式支柱とポリフィルム２５により形成され、設置部１５の底面１５ａの外面（以下、裏面１５ａともいう）に配置されている。設置部１５の裏面１５ａには、逆Ｌ字形状の支柱２３が、Ｌ字を形成する一方の部位を水平にし他方の部位を垂直にした状態で、前記水平部位の端部において着脱自在に取り付けられており、前記設置部１５をベランダ２１等の格子２２に載置した際には、前記支柱２３の垂直部位がベランダ２１上に立設されるようになっている。支柱２３は数本（図１では３本）設けられ、支柱２３の姿勢および間隔を安定させて保つための横部材２４が、支柱２３の垂直部位の端部に取り付けられてベランダ２１上に設置されるようになっており、支柱２３と横部材２４とにより、乾燥部１７の組立式支柱を構成している。
【００２１】
支柱２３には透明なポリフィルム２５が掛け渡されており、このポリフィルム２５と設置部１４の裏面１５ａにより乾燥部１７が形成されている。乾燥部１７には、その内部の上部には排気口２０とこの排気口２０に配置した前記ファン１９が位置するとともに、洗濯物１６が支柱２３の水平部位に架け渡した支持棒２６を介して吊り下げられて収容されるようになっている。なお、乾燥物は、衣類等の洗濯物に限らず、毛布や布団であってもよい。
【００２２】
前記構成の乾燥装置１には、太陽光による発電装置を設けて実施することができ、この装置の発電によりファン１９を作動させることができる。この発電装置は設置部１５あるいは乾燥部１７に着脱可能に設けてもよく、さらには、別途に設置し、連結可能なコード類により取り外し可能に接続してもよい。
【００２３】
次に、前記構成からなる乾燥装置の作用を説明する。
乾燥パネル本体２の集合パネル６の前面は、その全面が外界に露出されており、集合パネル６を構成する波形補助パネル６ａ，６ｂ，６ｃに太陽光２７が直接照射され、波形補助パネル６ａ，６ｂ，６ｃ内の空気は加熱される。加熱された空気は波形補助パネル６ａ，６ｂ，６ｃ内を上昇して集気用空間８に流入し、乾燥パネル本体２を設置した設置部１５の裏面１５ａから乾燥部１７内に放熱するとともに、新たな空気が各空気取り入れ口７から波形補助パネル６ａ，６ｂ，６ｃ内に流入する。また、集気用空間８内の加熱空気は、貯蔵空間１０を通って排出口１２から外部に排出される。
【００２４】
一方、乾燥室３の乾燥部１７内に乾燥しようとする物を収容する。例えば、衣類等の洗濯物１６を乾燥する場合には、ハンガー等を介して支持棒２６に洗濯物１６を吊り下げて乾燥部１７に収容し、ポリフィルム２５により囲う。これにより、設置部１５の裏面１５ａからの放熱により乾燥部１７内の温度が上昇する。また、排気口２０のファン１９を回転させ、前記排出口１２から排出される加熱空気を排気口２０から乾燥部１７内に排気する。排気口２０から乾燥部１７内に排気された加熱空気は、乾燥部１７内で下方に流動して洗濯物１６に当たるとともに、その間を通って洗濯物１６の乾燥を促進し、また湿気を多く含んで冷却された空気は、ポリフィルム２５の下端とベランダ２１との間から流出する。この加熱空気の乾燥部１７内への排気と、湿気を含んで冷却された空気の流出は継続して行われ、洗濯物１６の乾燥が完了する。
【００２５】
このとき、太陽光２７の照射が強いと、空気の加熱温度が高くなり過ぎ、洗濯物１６の材質によって悪影響が心配される場合には、乾燥室３の吸気口１８から乾燥室１７内に新鮮な外気を取り込んで、乾燥部１７内の温度を調整する。
【００２６】
本実施例によれば、太陽熱により加熱した空気により洗濯物１６を乾燥するので、迅速かつ確実に乾燥を行うことができる。さらに、室内で洗濯物１６を干さざるを得ない冬などの気温の低い季節であっても、外で干すことができ、室内で干した場合に生じる室内の景観や湿度の上昇による不快感をなくすることができる。また、太陽エネルギを用いているので、乾燥室３の温度を上昇させるためのエネルギが不要になり、省エネルギ化を図ることができる。さらに、乾燥部１７を形成する組立式支柱（Ｌ字形状の支柱２３と横部材２４）は取り外すことができるので、乾燥装置１を使用しない場合には、乾燥部１７を取り外してベランダ２１等の場所を広くすることができる。
【実施例２】
【００２７】
本発明の実施例２を図４に基づいて説明する。図４は本実施例の乾燥装置を示す斜視図である。
【００２８】
本実施例の乾燥装置３０は、ベランダ２１等の格子２２に設置する構成が前記実施例１と異なるのみであるので、実施例１と同一構成部分については実施例１と同一の符号を付し、その説明を省略する。乾燥装置３０の乾燥パネル本体２を設置する乾燥室２の設置部１５の縁部には、蝶番３１が取り付けられており、前記設置部１５をベランダ２１等の格子２２に設置する場合には蝶番３１を格子２２に固着し、乾燥装置３０を使用しない時には蝶番３１を支点として設置部１５と共に乾燥パネル本体２をベランダ２１の内側に折り畳み可能になっている。
【００２９】
本実施例によれば、風の強い日などで乾燥パネル本体２に風が当たって設置部１５が格子２２上で不安定になる恐れがある場合には、設置部１５と共に乾燥パネル本体２をベランダ２１内へ折り畳み、落下するという最悪の危険性をなくすることができる。また、乾燥装置３０を使用しない際には、ベランダ２１等の格子２２に設置部１５を載置した際に生ずる景観の妨げや日当たり等の不具合をなくすることができる。その他の効果は、実施例１と同様である。
【実施例３】
【００３０】
本発明の実施例３を図５に基づいて説明する。図５は本実施例の乾燥装置に備えたファン部を示す説明図である。
【００３１】
本実施例の乾燥装置には、乾燥パネル本体２から加熱空気を乾燥室３の乾燥部１７内に排出するファン１９の前方に抗菌フィルター３５が設置されて構成されており、加熱空気を乾燥パネル本体２から排出する際に、外界に浮遊する塵芥や杉などの花粉等が抗菌フィルター３５により捕捉されて乾燥部１７内に入らないようになっている。その他の構成は、実施例１，２と同様であるので、その説明を省略する。
【００３２】
本実施例によれば、乾燥部１７内を常に清浄な状態に保ち、乾燥部１７内で乾燥する洗濯物１６等に外界の塵芥や花粉を付着させることなく、きれいな状態で乾燥することができ、また、花粉に過敏な人にとっても乾燥させた洗濯物１６を安心して装着することができる。その他の効果は、実施例１，２と同様である。
【実施例４】
【００３３】
本発明の実施例４を図６に基づいて説明する。図６は本実施例の乾燥装置における乾燥パネル本体と乾燥室の設置部を簡略化して示す説明図である。
【００３４】
本実施例の乾燥装置は、外界に露出する乾燥パネル本体２の全面を乾燥室３の設置部１５に取り付けた透明なガラスパネル３７で覆って構成されており、風の強弱により集合パネル６の空気取り入れ口７から入り込む空気量が影響されないようになっている。その他の構成は、実施例１，２，３と同様であるので、その説明を省略する。
【００３５】
本実施例によれば、風の影響を受けることなく空気取り入れ口７から入り込む空気量を一定に保つことができるので、安定した温度の加熱空気を乾燥室３の乾燥部１７内に排出することができる。その他の構成は、実施例１，２，３と同様である。
【図面の簡単な説明】
【００３６】
【図１】乾燥装置を示す斜視図である。（実施例１）
【図２】乾燥装置に備えた乾燥パネル本体を示す斜視図である。（実施例１）
【図３】図２のＡ−Ａ線断面図である。
【図４】乾燥装置を示す斜視図である。（実施例２）
【図５】乾燥装置に備えたファン部を示す説明図である。（実施例３）
【図６】乾燥装置の乾燥パネル本体と乾燥室の設置部を示す説明図である。（実施例４）
【符号の説明】
【００３７】
１    乾燥装置
２    乾燥パネル本体
３    乾燥室
６    集合パネル
６ａ，６ｂ，６ｃ  波形補助パネル
７    空気取り入れ口
８    集気用空間
１２  排出口
１５  設置部
１６  洗濯物
１７  乾燥部
１８  吸気口
１９  ファン
２０  排気口
２１  ベランダ
２２  格子
２３  支柱
２４  横部材
２５  ポリフィルム
２６  支持部材
２７  太陽光
３０  乾燥装置
３１  蝶番
３５  抗菌フィルター
３７  ガラスパネル
【図１】
2005058597.tif 000003
【図２】
2005058597.tif 000004
【図３】
2005058597.tif 000005
【図４】
2005058597.tif 000006
【図５】
2005058597.tif 000007
【図６】
2005058597.tif 000008